(57)【特許請求の範囲】
【請求項１】
第１の区画と、前記第１の区画と隣接する第２の区画とを有し、
前記第１の区画は、
当該第１の区画と外部空間との障壁となる第１パネル体と、
前記第１パネル体に連結され、当該第１の区画と外部空間との障壁となる第２パネル体と、
前記第２パネル体に連結され、当該第１の区画と外部空間との障壁となる第３パネル体と、
前記第１パネル体に連結され、前記第２の区画との障壁となる第４パネル体と、
前記第３パネル体と前記第４パネル体との間に形成された第１の出入口と、
前記第３パネル体の前記第４パネル体側の端部に連結され、当該第３パネル体から前記第１の区画内へ向かって、前記第４パネル体と対面するように配置された第５パネル体と、
前記第１パネル体、前記第２パネル体、前記第３パネル体、および前記第５パネル体に囲まれた第１の会話空間と、
前記第１パネル体、前記第４パネル体、および前記第５パネル体に囲まれ、前記第１の区画と前記第２の区画とが隣接する部分の全体に亘って形成された第１の通路空間と
を有し、
前記第２の区画は、
前記第１パネル体および前記第４パネル体に連結され、当該第２の区画と外部空間との障壁となる第６パネル体と、
前記第６パネル体に連結され、当該第２の区画と外部空間との障壁となる第７パネル体と、
前記第７パネル体に連結され、当該第２の区画と外部空間との障壁となる第８パネル体と、
前記第４パネル体と前記第８パネル体との間に形成された第２の出入口と、
前記第８パネル体の前記第４パネル体側の端部に連結され、当該第８パネル体から前記第２の区画内へ向かって、前記第４パネル体と対面するように配置された第９パネル体と、
前記第６パネル体、前記第７パネル体、前記第８パネル体、および前記第９パネル体に囲まれた第２の会話空間と、
前記第４パネル体、前記第６パネル体、および前記第９パネル体に囲まれ、前記第１の区画と前記第２の区画とが隣接する部分の全体に亘って形成された第２の通路空間と
を有し、
前記第１の通路空間と前記第２の通路空間とは、前記第４パネル体を挟んで隣接している
ことを特徴とするブース構造。
【請求項２】
前記第５パネル体は、前記第１の会話空間において発せられた音声が、前記第１の出入口を経由して前記外部空間へ伝搬する直接音の伝搬経路を遮断する形状で構成されており、
前記第９パネル体は、前記第２の会話空間において発せられた音声が、前記第２の出入口を経由して前記外部空間へ伝搬する直接音の伝搬経路を遮断する形状で構成されている
ことを特徴とする請求項１に記載のブース構造。
【請求項３】
前記第１の区画または前記第２の区画を形成するパネル体の少なくとも一部には、マスキング音を放音する放音部が設けられている
ことを特徴とする請求項１または２に記載のブース構造。
【発明の詳細な説明】
【技術分野】
【０００１】
本発明は、間仕切り用のパネルを用いて形成された隣接する複数のブースのブース構造に関する。
【背景技術】
【０００２】
間仕切り用のパネルを用いて空間を様々な形に仕切ることで、応接スペースや商談スペース等のブースを簡単に設置することができる。下記特許文献１には、格子状のフレーム構造体にレールを設け、フレーム構造体の格子の寸法と略一致する板状のパネルの上端部分をレールに取り付けてパネルをフレーム構造体から吊るし、パネルを移動させることによりフレーム構造体が設置された空間を仕切る間仕切りシステムの技術が開示されている。
また、図５には、従来から一般的に用いられているブース構造の例を表した上面図を示す。例えば、図５（ａ）に示すブース構造３００は、複数のパネル２００を連結させて隣接する２つのブース３００を設置した場合の例であり、この場合、各ブース３００の１側面はパネル２００で囲われておらず、共用通路４００との間が開口された状態となっている。図５（ｂ）に示すブース構造３０１は、図５（ａ）に示したブース構造の開口部分の一部に連結したパネル２１０を設置し、共用通路４００からブース３０１へ出入りする出入口５００を設けた構造となっている。このように、パネルを自在に移動させて配置することにより簡単にブースを設置することができる。
【先行技術文献】
【特許文献】
【０００３】
【特許文献１】特開２００４−８４２２２号公報
【発明の概要】
【発明が解決しようとする課題】
【０００４】
しかしながら、例えば、図５（ａ）の場合、各ブース３００内部に設置された椅子７０に着席した話者が発した直接音は、矢印で示すように開口部分から共用通路４００へと直接伝搬され、ブース外へ会話が漏れてしまう。また、図５（ｂ）の場合であっても、出入口５００の開口部分から共用通路４００へと直接音が伝搬されてしまう。机や椅子等の設備をパネル２１０の近くに設置すれば、ブース内部で発した直接音の伝搬経路の範囲を狭めることもできるが、そのような配置にすることはパネル２１０の壁面付近の狭い空間に椅子７０やテーブルが集中することになり実用的ではない。
本発明は、隣接する各ブース内の話者が発した直接音が、当該ブース以外の空間へ伝搬する伝搬経路を遮断しうるブース構造を提供することを目的とする。
【課題を解決するための手段】
【０００５】
本発明に係るブース構造は、第１の区画と、前記第１の区画と隣接する第２の区画とを有し、前記第１の区画は、当該第１の区画と外部空間との障壁となる第１パネル体と、前記第１パネル体に連結され、当該第１の区画と外部空間との障壁となる第２パネル体と、前記第２パネル体に連結され、当該第１の区画と外部空間との障壁となる第３パネル体と、前記第１パネル体に連結され、前記第２の区画との障壁となる第４パネル体と、前記第３パネル体と前記第４パネル体との間に形成された第１の出入口と、前記第３パネル体の前記第４パネル体側の端部に連結され、当該第３パネル体から前記第１の区画内へ向かって、前記第４パネル体と対面するように配置された第５パネル体と、前記第１パネル体、前記第２パネル体、前記第３パネル体、および前記第５パネル体に囲まれた第１の会話空間と、前記第１パネル体、前記第４パネル体、および前記第５パネル体に囲まれ、前記第１の区画と前記第２の区画とが隣接する部分の全体に亘って形成された第１の通路空間とを有し、前記第２の区画は、前記第１パネル体および前記第４パネル体に連結され、当該第２の区画と外部空間との障壁となる第６パネル体と、前記第６パネル体に連結され、当該第２の区画と外部空間との障壁となる第７パネル体と、前記第７パネル体に連結され、当該第２の区画と外部空間との障壁となる第８パネル体と、前記第４パネル体と前記第８パネル体との間に形成された第２の出入口と、前記第８パネル体の前記第４パネル体側の端部に連結され、当該第８パネル体から前記第２の区画内へ向かって、前記第４パネル体と対面するように配置された第９パネル体と、前記第６パネル体、前記第７パネル体、前記第８パネル体、および前記第９パネル体に囲まれた第２の会話空間と、前記第４パネル体、前記第６パネル体、および前記第９パネル体に囲まれ、前記第１の区画と前記第２の区画とが隣接する部分の全体に亘って形成された第２の通路空間とを有し、前記第１の通路空間と前記第２の通路空間とは、前記第４パネル体を挟んで隣接していることを特徴とする。
【発明の効果】
【０００６】
本発明によれば、第５パネル体および第９パネル体によって会話空間で発せられた直接音が遮断されやすくなり、外部空間への直接伝搬を防止することができる。また、隣接する区画との間に通路空間が形成されるので、隣接する区画の会話空間との間を離すことができると共に、隣接する区画との間を仕切る第４パネル体と第５パネル体と第９パネル体とにより会話音声が減衰され、隣接する区画間において音声を漏れにくくすることができる。
【０００８】
また、前記ブース構造において、前記第５パネル体は、前記第１の会話空間において発せられた音声が、前記第１の出入口を経由して前記外部空間へ伝搬する直接音の伝搬経路を遮断する形状で構成されており、前記第９パネル体は、前記第２の会話空間において発せられた音声が、前記第２の出入口を経由して前記外部空間へ伝搬する直接音の伝搬経路を遮断する形状で構成されていることとしてもよい。この構成によれば、会話空間で発した直接音が外部空間へ直接伝搬する経路を適切に遮断することができる。
【０００９】
また、前記ブース構造において、前記第１の区画または前記第２の区画を形成するパネル体の少なくとも一部には、マスキング音を放音する放音部が設けられていることとしてもよい。この構成によれば、パネル体からマスキング音を放音することができるので、会話空間内の音声を外部空間や隣接する区画において聞き取りにくくすることができる。
【図面の簡単な説明】
【００１０】
【図１】実施形態におけるブース構造の例を示す上面図である。
【図２】（ａ）は、実施形態におけるパネルの例を示す斜視図である。（ｂ）は、実施形態におけるパネルの上面を説明する図である。（ｃ）は、実施形態におけるパネルの連結部材を説明する図である。（ｄ）は、実施形態におけるパネルの連結例を説明する図である。
【図３】（ａ）は、変形例１のブース構造の例を示す上面図である。（ｂ）は、変形例２のブース構造の例を示す上面図である。（ｃ）〜（ｅ）は、変形例３のブース構造の例を示す上面図である。
【図４】（ａ）は、変形例４のブース構造の例を示す上面図である。（ｂ）は、変形例５のブース構造の例を示す上面図である。
【図５】（ａ）及び（ｂ）は、従来のブース構造の一例を説明する図である。
【発明を実施するための形態】
【００１１】
図１は、本実施形態におけるブース構造の一例を示す上面図である。本実施形態におけるブース構造１は、図１に示すように、複数の間仕切り用のパネル２で空間を仕切ることにより、打ち合わせ等を行う空間としての矩形形状を有する複数の区画（以下、ブースと言う）３と、ブース３を除いた空間（以下、外部空間と言う）４とが形成される。本実施形態におけるブース３は、ブース３内に設けられた通路空間３ａと、会話がなされる空間３ｂ（以下、会話空間と言う）とを有する。なお、通路空間３ａ及び会話空間３ｂの詳細については後述する。
【００１２】
ここで、本実施形態における間仕切り用パネル２について説明する。図２（ａ）は、１枚のパネル２を示す斜視図である。本実施形態におけるパネル２は、幅の長さが約９００ｍｍと約１５００ｍｍの２種類あり、２種類の各パネル２の高さは約１８００ｍｍ、厚さは約３０ｍｍで構成されている。なお、本実施形態では、パネル２の高さが１８００ｍｍのものを用いる例について説明するが、パネル２の高さは、床から天井までを仕切るものではなく、床から所定の高さまでを仕切る、いわゆるローパーティション用のパネルであればよい。従って、パネル２の各部の寸法は前記の数値に限定されない。
【００１３】
各パネル２は、吸音材と空気層とで構成された平板状の芯材にプラスタボードを貼り付け、プラスタボードの外側にグラスウール等の吸音材を用いたクロスが貼り付けられて構成されている。また、床と接するパネル２の下部の両端には、鋼材で構成された脚部２ａが取り付けられている。
【００１４】
なお、本実施形態では、パネル２は、吸音材で構成された芯財を用いる例について説明するが、パネル２は、吸音材で構成されていない合板にプリント紙を貼り付けたものであってもよいし、合板に吸音シートを貼り付けたものであってもよい。また、プラスタボードの外側にスチール板を貼り付け、スチール板の表面にクロス又は吸音シートを貼り付けたものでもよい。
【００１５】
また、各パネル２は、パネル２の上面及び底面において連結部材を用いて相互に連結できる構成となっている。ここで、図２（ｂ）に、パネル２の上面図の例を示す。図２（ｂ）において、パネル２の上面には、図２（ｃ）に示す直線型の連結部材２ｂ、Ｌ字型の連結部材２ｃ、Ｔ字型の連結部材２ｄの各々を嵌め込むための溝２ｅが設けられている。また、パネル２の上面の両端部から長手方向の所定位置にネジ穴２ｆが設けられている。
次に、連結部材２ｂ、２ｃ、２ｄについて説明する。図２（ｃ）は、連結部材２ｂ、２ｃ、２ｄの上面図を示している。図に示すように、連結部材２ｂ、２ｃ、２ｄには、パネル２の上面及び底面をネジ止めするための穴２ｇが各々設けられており、パネル２のネジ穴２ｆの位置と対応するように連結部材２ｂ、２ｃ、２ｄの各穴２ｇが設けられている。
【００１６】
例えば、Ｌ字型の連結部材２ｃを用いて２枚のパネル２を連結させる場合には、図２（ｄ）に示すように、連結部材２ｃの穴２ｇとパネル２のネジ穴２ｆが一致するように２枚のパネル２を組み合わせ、各パネル２の上面に連結部材２ｃをネジ２ｈで固定することにより連結する。各パネル２の底面についても上面と同様に構成されており、パネル２の上面及び底面において連結部材２ｂ、２ｃ、２ｄを用いて各パネル２を連結する。
【００１７】
図１に戻り、上記したパネル２を用いたブース構造１について説明を続ける。なお、図１に示すブース構造１の上面図では、説明の便宜上、上述したパネル２の脚部２ａ、各パネル２を連結するために用いられた連結部材２ｂ、２ｃ、２ｄが省略されて図示されている。図１に示すように、本実施形態では、外部空間である共用通路４との間を出入するための出入口５を各々有する２つの矩形状のブース３を形成するようにパネル２が連結されて配置されている。各ブース３には、外部空間である共用通路４との間を仕切る隔壁２１ａ、２１ｂ、２１ｃと、隣接するブースとの間を仕切る隔壁２２とが形成される。
【００１８】
また、各ブース３には、出入口５の一端に配置されている隔壁２１ｃの端部２１１からブース３の内側方向に向かってパネル２を連結した通路形成パネル体２３が形成されている。各ブース３には、この通路形成パネル体２３の隔壁２２側の面方向、つまり図中左側又は右側に通路空間３ａが形成され、反対側の面方向、つまり、図中右側又は左側には会話空間３ｂが形成される。
【００１９】
通路空間３ａは、通路形成パネル体２３、隔壁２２、及び隔壁２１ａによって囲まれた空間であり、出入口５から会話空間３ｂの間を行き来するための通路となっている。
会話空間３ｂは、通路形成パネル体２３と隔壁２１ａ、２１ｂ、２１ｃによって囲まれた空間であり、机７ａや椅子７ｂ等の什器が配置され、会話がなされる空間である。
通路形成パネル体２３は、通路空間３ａと会話空間３ｂとの間を出入するための破線部Ｘで示す出入口を設けると共に、会話空間３ｂにおいて話者が発した会話音声の直接音が、出入口５の方向へ直線的に伝搬する経路を遮断する配置となるように、隔壁２１ｃの端部２１１に所定の長さ分だけパネル２が連結されて構成されている。
【００２０】
このように、本実施形態では、隣接するブース３との間に通路空間３ａを設けることで、出入口５付近の共用通路４にいる人から会話空間３ｂが見通せなくなっていると共に、会話空間３ｂ内の話者が発した会話音声の直接音が出入口５を経由して共用通路４へと伝搬する伝搬経路を遮断することができるので、共用通路４へ伝搬する会話音声（直接音）を減衰させることができる。また、各ブース３の会話空間３ｂは、通路空間３ａによって隔てられ、ブース３間を伝搬する会話音声は、隔壁２２と通路形成パネル体２３とによって減衰されるので、ブース３内に通路形成パネル体２３が設けられていない場合と比べてブース３内の会話音声を隣接する他のブース３へ漏れにくくすることができる。
【００２１】
＜変形例＞
以上、本発明の実施形態について説明したが、本発明は上述した実施形態に限るものではなく、以下の変形例も含まれる。
【００２２】
（変形例１）上述した実施形態では、２つのブースが形成されたブース構造の例について説明したが、ブースの数は隣接するブースが２つ以上であればこれに限らない。例えば、３つのブースを形成する場合の例を図３（ａ）に示す。
図３（ａ）に示すように、隣接する複数のブースの内、１つのブース３２と隣接しているブース３１及びブース３３においては、実施形態と同様に、隣接するブース３２との間を仕切る隔壁２２と対向するように通路形成パネル体２３が配置されたブース構造となっている。一方、ブース３１及びブース３３に挟まれたブース３２においては、ブース３１またはブース３３との間を仕切る隔壁２２に対向するように通路形成パネル体２３を配置するのではなく、外部空間との間を仕切る隔壁２１ｂに対向するように通路形成パネル体２３を配置するブース構造となっている。ブース３２のように、ブース３２と外部空間との間を仕切る隔壁２１ｂと２１ｃとの間に出入口５が形成され、隔壁２１ｂに対向するように隔壁２１ｃからブース３２の内側に向けて通路形成パネル体２３が配置されるブースが、隣接する複数のブースの中に含まれていてもよい。要するに、隣接する複数のブースの全てのブースについて、互いに隣接するブースを仕切る隔壁と、その各ブースにおける通路形成パネル体２３との間に各々通路空間３ａが形成されなくてもよく、隣接する複数のブースのうち、少なくとも隣接する一方のブースにおける会話空間が、当該ブースの通路空間を介して当該隣接する他方のブースと隣接するように形成されていればよい。
【００２３】
ブース３１及びブース３３の各会話空間３ｂにおいて発せられた会話音声は、実施形態と同様、出入口５の方向に向かう伝搬経路は、各々の通路形成パネル体２３によって遮断されるため、外部空間に直接音が伝搬されないようにすることができる。また、ブース３２の方向に向かう会話音声は、通路形成パネル体２３とブース３２との間を隔てる隔壁とによって減衰されるため、隣接するブースに会話音声が漏れないようにすることができる。
【００２４】
また、ブース３２の会話空間３ｂにおいて発せられた会話音声についても、出入口５の方向に向かう伝搬経路は、当該ブース３２の通路形成パネル体２３によって遮断されるため外部空間に対して直接音が伝搬されないようにすることができる。また、ブース３１及びブース３３に向かう会話音声は、各ブースとの間を隔てる隔壁によってある程度減衰され、ブース３１及びブース３３の会話空間３ｂには、ブース３１及びブース３３の通路形成パネル体２３で減衰された音声が伝搬するため、隣接するブースに対しても会話を漏れにくくすることができる。
【００２５】
このように、２つ以上の隣接するブースが形成されたブース構造において、ブース内における直接音が当該ブースの出入口５から直接伝搬する伝搬経路を遮断する通路形成パネル体２３が設けられ、当該ブースと隣接する他のブースの会話空間３ｂがいずれかのブースの通路空間３ａによって隔てられている構成であれば、全てのブースにおいて、隣接するブースとの間を仕切る隔壁側に通路空間３ａが設けられる構造でなくてもよい。
【００２６】
（変形例２）また、上述した実施形態では、各ブースの出入口５から、当該出入口５に対向して設置されている隔壁２１ａまでの一直線状の経路を有する空間部分が当該ブースの通路空間３ａである例について説明したが、通路空間３ａは一直線状に限らない。例えば、図３（ｂ）に示す通路形成パネル体２３０は、実施形態と同様の通路形成パネル体２３と、通路形成パネル体２３に対して直交するように通路形成パネル体２３の先端部２３１にパネル２を更に連結した部分とで形成されており、出入口５から隔壁２１ａまでの空間３ａと矢印３１ａで示す空間が通路空間となる。
【００２７】
（変形例３）また、上述した実施形態では、各ブースの出入口５の一端である隔壁２１ｃと直交するように当該ブースの内側方向にパネル２を連結して通路形成パネル体２３を設ける例について説明したが、隔壁２１ｃの端部２１１に連結させるパネル２の角度は直交する場合に限らず、予め定めた一定の角度で隔壁２１ｃの端部２１１にパネル２を連結させてもよい。なお、この場合には、パネル２を連結させる角度に応じた連結部材によって各パネル２を連結させるようにする。このような連結の例としては、例えば、図３（ｃ）に示すように、隔壁２１ｃに対して鈍角となるようにブースの内側方向へパネル２を連結させて通路形成パネル体２３を設けてもよいし、図３（ｄ）に示すように、隔壁２１ｃに対して鋭角となるようにブースの内側方向へパネル２を連結させて通路形成パネル体２３を設けてもよい。また、図３（ｅ）の通路形成パネル体２３で示すように、隔壁２１ｃに対して一定の角度でパネル２を連結させ、その先端部２３２に隔壁２２と平行となるようにパネル２を更に連結して形成してもよい。
【００２８】
（変形例４）また、上述した実施形態では、各ブースに形成される通路形成パネル体２３は直線形状である例について説明したが、図４（ａ）に示すように、アーチ形状のパネルを隔壁２１ｃの端部２１１に連結させて通路形成パネル体２３を形成するように構成してもよい。図４（ａ）において右側のブース３の会話空間３ｂにおいて、話者（音源）Ｘや話者Ｙが音声を発したときの、出入口５を経由して外部空間に伝搬する話者Ｘ及び話者Ｙの直接音の伝搬経路は、実線矢印で示すように通路形成パネル体２３によって遮断される。
【００２９】
（変形例５）また、上述した実施形態では、平面状のパネル２を用いて形成されるブースの形状は矩形である例について説明したが、例えば、図４（ｂ）に示すように、アーチ形状のパネルを連結することにより複数の円形のブースを隣接して形成するように構成してもよい。なお、この場合も実施形態と同様に、隣接するブースとの間に出入口５からの通路空間３ａを形成するように各ブースの内側方向へ通路形成パネル体２３を設置する。この場合、通路空間３ａを除く破線で仕切られた空間３ｂが会話空間として形成される。
【００３０】
（変形例６）また、上述した実施形態では、各ブースの通路形成パネル体２３は隔壁２１ｃに対して全て同じ角度、同じ長さで形成される例について説明したが、隔壁２１ｃに対する通路形成パネル体２３の角度や通路形成パネル体２３の長さをブース毎に変えるように構成してもよい。
【００３１】
（変形例７）また、上述した実施形態では、幅の長さが異なる２種類のパネル２を連結して構成されたブース構造について説明したが、パネルの種類は１種類でもよく、また、３種類以上の寸法の異なるパネルを連結して構成してもよい。
【００３２】
（変形例８）また、上述した実施形態では、視覚的に透過性を有しないパネル２を連結して構成されたブース構造１を例に説明したが、視覚的に透過性を有するパネルを用いてブース構造１を構成してもよい。
【００３３】
（変形例９）また、上述した実施形態に係るパネル２の内部にスピーカを設け、各パネル２のスピーカに対してマスキング音を放音させる放音制御装置を会話空間３ｂ等に設けるように構成してもよい。パネル２のスピーカからマスキング音が放音されることにより、ブース３の会話空間３ｂにおける会話音声を外部空間や隣接するブースにおいて聞こえにくくすることができる。
【符号の説明】
【００３４】
１・・・ブース構造、２・・・パネル、２ａ・・・脚部、２ｂ，２ｃ，２ｄ・・・連結部材、２ｆ・・・溝、２ｅ・・・ネジ穴，２ｇ・・・穴、２ｈ・・・ネジ、２１ａ，２１ｂ，２１ｃ，２２・・・隔壁、２３・・・通路形成パネル体、３，３１，３２，３３，３５，３６・・・ブース、３ａ・・・通路空間、３ｂ・・・会話空間、４・・・共用通路（外部空間）、５・・・出入口、７ａ・・・机、７ｂ・・・椅子
【図１】
0005771933.tif 000002
【図２】
0005771933.tif 000003
【図３】
0005771933.tif 000004
【図４】
0005771933.tif 000005
【図５】
0005771933.tif 000006